(57)【特許請求の範囲】
【請求項１】
建屋の天井部に設置され、熱交換器及びファンを収容して構成されたユニット本体に吹出ダクトが延設されたビルトイン型空気調和機を備えるビルトイン型空気調和装置において、同一容量の上記ビルトイン型空気調和機の上記ユニット本体が、複数段積みされることによって構成され、上記ビルトイン型空気調和機は、吸込口を備えた天井パネルがユニット本体の底部に設置可能なパネル仕様ビルトイン型空気調和機のみであり、最下段の上記ビルトイン型空気調和機のユニット本体に上記天井パネルが設置され、最上段以外の上記ビルトイン型空気調和機におけるユニット本体の天板に開口が形成されたことを特徴とするビルトイン型空気調和装置。
【発明の詳細な説明】
【０００１】
【発明の属する技術分野】
本発明は、建屋の天井部に設置され、内部に熱交換器およびファンを備えたビルトイン型空気調和機を有するビルトイン型空気調和装置に関する。
【０００２】
【従来の技術】
一般に、建屋の天井空間に設置され、室内熱交換器およびファンを収容して構成されたユニット本体に、吹出ダクトが延設されたビルトイン型空気調和機が知られている。このようなビルトイン型空気調和機では、室内熱交換器にて熱交換された空気を、吹出ダクトを介して室内の適宜位置へ導き室内に吹き出すことができるので、室内の美観を損なうことなく最適な空気調和を実現できる。
【０００３】
従来、この種のビルトイン型空気調和機には、図７に示すように、パネル仕様ビルトイン型空気調和機１０とダクト仕様ビルトイン型空気調和機２０とがある。パネル仕様ビルトイン型空気調和機１０（図７（Ａ））は、ユニット本体１１の下面に設けられて天井板に設置される天井パネル１２から室内空気を吸い込むものであり、また、電装箱がユニット本体１１内部に配設されている。一方、ダクト仕様ビルトイン型空気調和機２０（図７（Ｂ））は、ユニット本体２１の背面に吸込ダクト２２を設けて、この吸込ダクト２２を介し室内空気を吸い込むものであり、電装箱２３がユニット本体２１の側板の外面に設置されている。
【０００４】
【発明が解決しようとする課題】
ところで、上記パネル仕様ビルトイン型空気調和機１０、ダクト仕様ビルトイン型空気調和機２０の容量を増大させるためには、内蔵した室内熱交換機やファンモータを大型化する必要がある。従って、これらの機器を収容するユニット本体１１、２１も大型化してしまう。このため、室内の例えば照明のレイアウトなどに支障を来す場合がある。
【０００５】
本発明の目的は、上述の事情を考慮してなされたものであり、空気調和機一台分の設置スペースで大容量化に対応できるビルトイン型空気調和装置を提供することにある。
【０００６】
【課題を解決するための手段】
請求項１に記載の発明は、建屋の天井部に設置され、熱交換器及びファンを収容して構成されたユニット本体に吹出ダクトが延設されたビルトイン型空気調和機を備えるビルトイン型空気調和装置において、同一容量の上記ビルトイン型空気調和機の上記ユニット本体が、複数段積みされることによって構成され、上記ビルトイン型空気調和機は、吸込口を備えた天井パネルがユニット本体の底部に設置可能なパネル仕様ビルトイン型空気調和機のみであり、最下段の上記ビルトイン型空気調和機のユニット本体に上記天井パネルが設置され、最上段以外の上記ビルトイン型空気調和機におけるユニット本体の天板に開口が形成されたことを特徴とするものである。
【００１１】
請求項１に記載の発明には、次の作用がある。
【００１２】
同一容量のビルトイン型空気調和機のユニット本体が複数段積みされたことから、ビルトイン型空気調和機二台分以上の大容量化を実現できる。
【００１３】
また、複数段積みされた複数台のビルトイン型空気調和機を個別に制御することにより、容量制御を実現できる。
【００１４】
また、複数台のビルトイン型空気調和機のユニット本体が段積みされたことから、空気調和機一台分の設置スペースで足りるので、例えば、照明などの取り付けに支障がなく、室内における照度のばらつきを防止できる。
【００１５】
更に、複数台のビルトイン型空気調和機が段積みされたことから、ビルトイン型空気調和機一台分の四本の吊りボルトで複数台のビルトイン型空気調和機を懸吊でき、この結果、ビルトイン型空気調和装置の施工を容易化できる。
【００１６】
また、複数台のビルトイン型空気調和機のユニット本体が段積みされたことから、冷媒配管やドレン配管など同一種類の配管の接続口がそれぞれ同一の鉛直面内に存在するので、これら同一種類の配管を一本にまとめて施工できる。
【００１７】
更に、同一容量のビルトイン型空気調和機のユニット本体を段積みして大容量化を実現できるので、大容量の空気調和機を新たに設計する必要がなく、その大容量空気調和機の金型も不要となるので、コストを低減できる。
また、最下段の上記ビルトイン型空気調和機のユニット本体のみに天井パネルが設置されるので、装置全体で天井パネルが一個となり、安価なイニシャルコストで大容量化を実現できる。さらに、吸込口を備えた天井パネルが装置全体で一個となるので、空気清浄用のフィルタを一個の天井パネルまたはその近傍に配置でき、このため、フィルタのメンテナンスを容易に実施できる。
【００２９】
【発明の実施の形態】
以下、本発明の実施の形態を、図面に基づき説明する。
【００３０】
［Ａ］第一の実施の形態（図１〜図４）
図１は、本発明に係るビルトイン型空気調和装置の一実施の形態を示す側面図である。
【００３１】
この図１に示すように、ビルトイン型空気調和装置１００は、建屋３１の天井空間３４に配置され、パネル仕様ビルトイン型空気調和機３０のユニット本体３５上にダクト仕様ビルトイン型空気調和機４０のユニット本体３５が段積みされたものである。これらのパネル仕様ビルトイン型空気調和機３０とダクト仕様ビルトイン型空気調和機４０は、同一容量（能力）に構成されている。
【００３２】
元来、これらのパネル仕様ビルトイン型空気調和機３０とダクト仕様ビルトイン型空気調和機４０は、それぞれ図２（Ａ）、（Ｂ）に示すように、単独で、建屋３１の天井３２と天井板３３との間の天井空間３４内に懸吊して配設され、ユニット本体３５、吹出ダクト３６及び運転制御用の電装箱３７を有して構成される。
【００３３】
上記ユニット本体３５の箱体５４は、互いに対向配置されて四角枠形状に設けられた４枚の側板３８の上縁部に天板３９が、下縁部の一部にドレンパン押え板４６がそれぞれ固定されて構成される。これらの側板３８、天板３９及びドレンパン押え板４６の内外表面または、内側もしくは外側表面（本実施の形態では外側表面）に断熱材が貼着されている。
【００３４】
このユニット本体３５の箱体５４の側板３８には吊り金具４１が固着され、この吊り金具４１が、建屋３１の天井３２から垂下された吊りボルト４２に止着されて、パネル仕様ビルトイン型空気調和機３０、ダクト仕様ビルトイン型空気調和機４０が建屋３１の天井３２に懸吊可能に構成される。
【００３５】
このユニット本体３５は箱体５４の内部に、図示しない室内熱交換器、ファン５６（図１）およびファンモータが収容して構成される。上記室内熱交換器は、図３及び図４に示す冷媒配管接続口４３に接続された冷媒配管（ガス管）、及び冷媒配管接続口４４に接続された冷媒配管（液管）を用いて、図示しない室外機に接続される。ユニット本体３５の室内熱交換器５５は、室外機から導かれる冷媒の蒸発または凝縮により、後述の如くユニット本体３５内に吸い込まれた空気を冷却し又は暖房する。
【００３６】
尚、図３、図４中の符号４５Ａはドレン配管接続口を示し、符号４５Ｂはドレン排出口を示す。
【００３７】
図２に示す上記吹出ダクト３６は、通常、複数本がユニット本体３５から延設されている。吹出ダクト３６のそれぞれは、ユニット本体３５の箱体５４の一つの側板３８Ａに一体に設置された吹出口４７（図３、図４）に一端が嵌装され、他端に吹出グリル４８が取付けられる。この吹出グリル４８は、天井板３３の適宜位置に設置される。ユニット本体３５のファンの回転により、後述の如くユニット本体３５内に室内空気が吸い込まれ、室内熱交換器により熱交換された空気が、吹出ダクト３６を経て吹出グリル４８から室内へ吹き出される。
【００３８】
ところで、図２（Ａ）及び図３に示すパネル仕様ビルトイン型空気調和機３０は、ユニット本体３５の下部開口に天井パネル４９が嵌装されたものである。この天井パネル４９は、中央位置に吸込板５０を備え、この吸込板５０との吸込口としての隙間から室内空気を吸い込み、ユニット本体３５内へ導入する。
【００３９】
また、図２（Ｂ）及び図４に示すダクト仕様ビルトイン型空気調和機４０は、ユニット本体３５の箱体５４の一つの側板３８で、吹出口４７が設置された側板３８Ａに対向する側板（すなわちダクト仕様ビルトイン型空気調和機４０の背面側板３８Ｂ）に、図示しない吸込開口が形成され、この側板３８（背面側板３８Ｂ）に、例えばフィルタボックス５１を介して、通常一本の吸込ダクト５２が連設されたものである。吸込ダクト５２の一端部に吸込グリル５３が嵌装され、この吸込グリル５３が、天井板３３の適宜位置に設置される。この吸込グリル５３から室内空気が取り込まれ、吸込ダクト５２を経てユニット本体３５内へ吸い込まれる。
【００４０】
尚、ダクト仕様ビルトイン型空気調和機４０のユニット本体３５の下部開口は、遮風板５７により閉じられる。本実施の形態では、この遮風板５７の外側にも断熱材が貼着されている。また、上記電装箱３７は、図１に示すように、ユニット本体３５の側板３８のうち、吹出ダクト３６または吸込ダクト５２が配設されていない側板３８Ｃに取付けられる。
【００４１】
図１に示すビルトイン型空気調和装置１００では、上述の如く構成されたパネル仕様ビルトイン型空気調和機３０のユニット本体３５と、ダクト仕様ビルトイン型空気調和機４０のユニット本体３５とが前述の如く段積みされて、即ち鉛直方向に積み上げられて構成される。パネル仕様ビルトイン型空気調和機３０のユニット本体３５には天井パネル４９から吸込空気が取り込まれ、ダクト仕様ビルトイン型空気調和機４０のユニット本体３５には吸込ダクト５２から吸込空気が取り込まれる。
【００４２】
上記両ユニット本体３５の段積み状態では、天井３２から垂下された４本の吊りボルト４２に、パネル仕様ビルトイン型空気調和機３０及びダクト仕様ビルトイン型空気調和機４０の各ユニット本体３５における吊り金具４１が止着される。つまり、パネル仕様ビルトイン型空気調和機３０とダクト仕様ビルトイン型空気調和機４０の両ユニット本体３５は、４本の吊りボルト４２によって懸吊される。
【００４３】
また、パネル仕様ビルトイン型空気調和機３０及びダクト仕様ビルトイン型空気調和機４０の両ユニット本体３５の段積み状態では、両ユニット本体３５における冷媒配管接続口（ガス管側）４３と冷媒配管接続口（液管側）４４とドレン配管接続口４５Ａとが、それぞれ同一の鉛直面内に配置されている。そこで、パネル仕様ビルトイン型空気調和機３０とダクト仕様ビルトイン型空気調和機４０の冷媒配管接続口４３同士が、Ｕ字管５８によって１本の冷媒配管５９（ガス管）にまとめられ、パネル仕様ビルトイン型空気調和機３０とダクト仕様ビルトイン型空気調和機４０の冷媒配管接続口４４同士が、Ｕ字管６０によって１本の冷媒配管６１（液管）にまとめられ、パネル仕様ビルトイン型空気調和機３０とダクト仕様ビルトイン型空気調和機４０のドレン配管接続口４５Ａ同士が、Ｕ字管６２によって１本のドレン配管６３にまとめられる。
【００４４】
従って、上記実施の形態のビルトイン型空気調和装置１００によれば、次の効果（１）〜（８）を奏する。
【００４５】
（１）同一容量のパネル仕様ビルトイン型空気調和機３０とダクト仕様ビルトイン型空気調和機４０のそれぞれのユニット本体３５が二段段積みされたことから、パネル仕様ビルトイン型空気調和機３０とダクト仕様ビルトイン型空気調和機４０の二台分の大容量化を実現できる。
【００４６】
（２）二段段積みされたパネル仕様ビルトイン型空気調和機３０とダクト仕様ビルトイン型空気調和機４０とを個別に制御することにより、容量制御を実現できる。
【００４７】
（３）パネル仕様ビルトイン型空気調和機３０とダクト仕様ビルトイン型空気調和機４０のそれぞれのユニット本体３５が二段段積みされたことから、空気調和機のユニット本体３５の一台分の設置スペースで足りるので、例えば、照明などの取り付けに支障がなく、室内における照度のバラツキを防止できる。
【００４８】
（４）パネル仕様ビルトイン型空気調和機３０とダクト仕様ビルトイン型空気調和機４０の各ユニット本体３５が二段段積みされたことから、パネル仕様ビルトイン型空気調和機３０またはダクト仕様ビルトイン型空気調和機４０の一台分の４本の吊り金具４１を用いて、これらのパネル仕様ビルトイン型空気調和機３０とダクト仕様ビルトイン型空気調和機４０とを懸吊でき、この結果、ビルトイン型空気調和装置１００、２００の施工を容易化できる。
【００４９】
（５）パネル仕様ビルトイン型空気調和機３０とダクト仕様ビルトイン型空気調和機４０の各ユニット本体３５が二段段積みされたことから、パネル仕様ビルトイン型空気調和機３０とダクト仕様ビルトイン型空気調和機４０の冷媒配管接続口（ガス管側）４３同士、冷媒配管接続口（液管側）４４同士、ドレン配管接続口４５Ａ同士が、それぞれ同一の鉛直面内に存在するので、パネル仕様ビルトイン型空気調和機３０とダクト仕様ビルトイン型空気調和機４０との冷媒配管接続口４３同士を冷媒配管５９で、冷媒配管接続口４４同士を冷媒配管６１で、ドレン配管接続口４５Ａ同士をドレン配管６３でそれぞれまとめて施工できる。
【００５０】
（６）同一容量のパネル仕様ビルトイン型空気調和機３０とダクト仕様ビルトイン型空気調和機４０とのユニット本体３５を二段段積みして大容量化を実現できるので、大容量の空気調和機を新たに設計する必要がなく、その大容量空気調和機の金型も不要となるので、コストを低減できる。
【００５１】
（７）パネル仕様ビルトイン型空気調和機３０とダクト仕様ビルトイン型空気調和機４０のそれぞれの標準機を何ら変更せず、そのまま使用して大容量化を実現できる。
【００５２】
（８）パネル仕様ビルトイン型空気調和機３０は天井パネル４９から空気を取り込み、ダクト仕様ビルトイン型空気調和機４０は吸込ダクト５２から空気を取り込むので、それぞれ独自の吸込口を確保でき、この結果、各パネル仕様ビルトイン型空気調和機３０、ダクト仕様ビルトイン型空気調和機４０は、能力及び性能の低下を引き起こすことがない。
【００５３】
尚、最下段のパネル仕様ビルトイン型空気調和機３０のユニット本体３５上にダクト仕様ビルトイン型空気調和機４０のユニット本体３５を段積みし、更に、このダクト仕様ビルトイン型空気調和機４０のユニット本体３５上に、同一容量の他のダクト仕様ビルトイン型空気調和機４０のユニット本体３５を段積みしても良い。
［Ｂ］第二の実施の形態（図５）
図５は、本発明に係るビルトイン型空気調和装置の第二の実施の形態を示す側面図である。この第二の実施の形態において、前記第一の実施の形態と同様な部分は、同一の符号を付すことにより説明を省略する。
【００５４】
この第二の実施の形態のビルトイン型空気調和装置２００は、同一容量のパネル仕様ビルトイン型空気調和機３０のみのユニット本体３５を二段段積みしたものである。下方に配置されたユニット本体３５に天井パネル４９が配置される。更に、この下方に配置されたユニット本体３５の天板３９に開口６４が形成される。天井パネル４９から吸い込まれた空気は、ファン５６の作用で、下方配置のユニット本体３５内に取り込まれると共に、開口６４を経て上方配置のユニット本体３５内にも取り込まれる。
【００５５】
従って、上記実施の形態のビルトイン型空気調和装置２００によれば、次の効果（９）〜（１６）を奏する。
【００５６】
（９）同一容量のパネル仕様ビルトイン型空気調和機３０のユニット本体３５が二段段積みされたことから、パネル仕様ビルトイン型空気調和機３０の二台分の大容量化を実現できる。
【００５７】
（１０）二段段積みされたパネル仕様ビルトイン型空気調和機３０を個別に制御することにより、容量制御を実現できる。
【００５８】
（１１）二台のパネル仕様ビルトイン型空気調和機３０のユニット本体３５が二段段積みされたことから、空気調和機のユニット本体３５の一台分の設置スペースで足りるので、例えば、照明などの取り付けに支障がなく、室内における照度のバラツキを防止できる。
【００５９】
（１２）二台のパネル仕様ビルトイン型空気調和機３０の各ユニット本体３５が二段段積みされたことから、パネル仕様ビルトイン型空気調和機３０の一台分の４本の吊り金具４１でこれらパネル仕様ビルトイン型空気調和機３０を懸吊でき、この結果、ビルトイン型空気調和装置１００の施工を容易化できる。
【００６０】
（１３）二台のパネル仕様ビルトイン型空気調和機３０の各ユニット本体３５が二段段積みされたことから、二台のパネル仕様ビルトイン型空気調和機３０の冷媒配管接続口４３（ガス管側）同士、冷媒配管接続口（液管側）４４同士、ドレン配管接続口４５Ａ同士がそれぞれ同一の鉛直面内に存在するので、二台のパネル仕様ビルトイン型空気調和機３０の冷媒配管接続口４３同士を冷媒配管５９で、冷媒配管接続口４４同士を冷媒配管６１で、ドレン配管接続口４５Ａ同士をドレン配管６３でまとめて施工できる。
【００６１】
（１４）同一容量のパネル仕様ビルトイン型空気調和機３０のユニット本体３５を二段段積みして大容量化を実現できるので、大容量の空気調和機を新たに設計する必要がなく、その大容量空気調和機の金型も不要となるので、コストを低減できる。
【００６２】
（１５）下段のパネル仕様ビルトイン型空気調和機３０のユニット本体３５のみに天井パネル４９が設置されるので、ビルトイン型空気調和装置２００全体で天井パネル４９が一個となり、安価なイニシャルコストで大容量化を実現できる。
【００６３】
（１６）吸込口を備えた天井パネル４９がビルトイン型空気調和装置２００全体で一個となるので、空気清浄用のフィルタ６５を一個の天井パネル４９またはその近傍に配置でき、このため、フィルタ６５のメンテナンスを容易に実施できる。
【００６４】
尚、このビルトイン型空気調和装置２００においても、パネル仕様ビルトイン型空気調和機３０のユニット本体３５を三段以上段積みしても良い。
【００６５】
［Ｃ］第三の実施の形態（図６）
図６は、本発明に係るビルトイン型空気調和装置の第三の実施の形態を示す側面図である。この第三の実施の形態において、前記第一の実施の形態と同様な部分は、同一符号を付すことにより説明を省略する。
【００６６】
この第三の実施の形態のビルトイン型空気調和装置３００は、同一容量のダクト仕様ビルトイン型空気調和機４０のみのユニット本体３５を二段段積みしたものである。各ダクト仕様ビルトイン型空気調和機４０のユニット本体３５には、それぞれの吸込ダクト５２を経て吸込空気が取り込まれる。
【００６７】
従って、上記実施の形態のビルトイン型空気調和装置３００によれば、次の効果（１７）〜（２４）を奏する。
【００６８】
（１７）同一容量のダクト仕様ビルトイン型空気調和機４０のユニット本体３５が二段段積みされたことから、ダクト仕様ビルトイン型空気調和機４０の二台分の大容量化を実現できる。
【００６９】
（１８）二段段積みされたダクト仕様ビルトイン型空気調和機４０を個別に制御することにより、容量制御を実現できる。
【００７０】
（１９）二台のダクト仕様ビルトイン型空気調和機４０のユニット本体３５が二段段積みされたことから、空気調和機のユニット本体３５の一台分の設置スペースで足りるので、例えば、照明などの取り付けに支障がなく、室内における照度のバラツキを防止できる。
【００７１】
（２０）二台のダクト仕様ビルトイン型空気調和機４０の各ユニット本体３５が二段段積みされたことから、ダクト仕様ビルトイン型空気調和機４０の一台分の４本の吊り金具４１でこれらのダクト仕様ビルトイン型空気調和機４０を懸吊でき、この結果、ビルトイン型空気調和装置３００の施工を容易化できる。
【００７２】
（２１）二台のダクト仕様ビルトイン型空気調和機４０の各ユニット本体３５が二段段積みされたことから、二台のダクト仕様ビルトイン型空気調和機４０の冷媒配管接続口（ガス管側）４３同士、冷媒配管接続口（液管側）４４同士、ドレン配管接続口４５Ａ同士がそれぞれ同一の鉛直面内に存在するので、二台のダクト仕様ビルトイン型空気調和機４０の冷媒配管接続口４３同士を冷媒配管５９で、冷媒配管接続口４４同士を冷媒配管６１で、ドレン配管接続口４５Ａ同士をドレン配管６３でそれぞれまとめて施工できる。
【００７３】
（２２）同一容量のダクト仕様ビルトイン型空気調和機４０のユニット本体３５を二段段積みして大容量化を実現できるので、大容量の空気調和機を新たに設計する必要がなく、その大容量空気調和機の金型も不要となるので、コストを低減できる。
【００７４】
（２３）ダクト仕様ビルトイン型空気調和機４０の標準機を何ら変更することなく、そのまま使用して大容量化を実現できる。
【００７５】
（２４）二台の各ダクト仕様ビルトイン型空気調和機４０は、それらの吸込ダクト５２をそれぞれ独自に確保できるので、能力及び性能の低下を引き起こすことがない。
【００７６】
尚、ビルトイン型空気調和装置３００において、各ダクト仕様ビルトイン型空気調和機４０の吸込ダクト５２を取り除いて、一個の集合吸込口６６を各ダクト仕様ビルトイン型空気調和機４０のユニット本体３５に亘って装着することにより、この集合吸込口６６を介して、二台のユニット本体３５に集合吸込角ダクト６７を接続できる。このため、二台のダクト仕様ビルトイン型空気調和機４０において、集合吸込角ダクト６７を用いて吸込ダクトをまとめることができる。この場合には、次の効果（２５）を奏する。
【００７７】
（２５）段積みされた二台のダクト仕様ビルトイン型空気調和機４０の吸込ダクト５２が、集合吸込口６６を介して集合吸込角ダクト６７として一つにまとめて構成されることから、空気清浄用のフィルタを一つの集合吸込角ダクト６７に対応して配置すれば良く、このため、フィルタのメンテナンスを容易に実施できる。
【００７８】
また、ビルトイン型空気調和装置３００においては、各ダクト仕様ビルトイン型空気調和機４０のユニット本体３５における吹出口４７を取り除いて、一個の集合吹出口６８を各ダクト仕様ビルトイン型空気調和機４０のユニット本体３５に亘って装着することにより、この集合吹出口６８を介して、二台のユニット本体３５に、集合吹出角ダクト６９を接続できる。このため、二台のダクト仕様ビルトイン型空気調和機４０において、集合吹出角ダクト６９を用いて吹出ダクトをまとめることができる。
【００７９】
更に、ビルトイン型空気調和装置３００において、ダクト仕様ビルトイン型空気調和機４０を三段以上段積みしても良い。
【００８０】
以上、本発明を上記実施の形態に基づいて説明したが、本発明はこれに限定されるものではない。
【００８１】
【発明の効果】
以上のように、本発明に係るビルトイン型空気調和装置によれば、同一容量のビルトイン型空気調和機のユニット本体が段積みされたことから、空気調和機一台分の設置スペースで大容量化に対応できる。
【図面の簡単な説明】
【図１】本発明に係るビルトイン型空気調和装置の第一の実施の形態を示す側面図である。
【図２】図１のビルトイン型空気調和機が単独で配置される場合を示し、（Ａ）がパネル仕様ビルトイン型空気調和機、（Ｂ）がダクト仕様ビルトイン型空気調和機のそれぞれ側面図である。
【図３】図２（Ａ）におけるパネル仕様ビルトイン型空気調和機のユニット本体を示す斜視図である。
【図４】図２（Ｂ）におけるダクト仕様ビルトイン型空気調和機のユニット本体を示す斜視図である。
【図５】本発明に係るビルトイン型空気調和装置の第二の実施の形態を示す側面図である。
【図６】本発明に係るビルトイン型空気調和装置の第三の実施の形態を示す側面図である。
【図７】従来のビルトイン型空気調和機を示し、（Ａ）がパネル仕様ビルトイン型空気調和機、（Ｂ）がダクト仕様ビルトイン型空気調和機のそれぞれ部分斜視図である。
【符号の説明】
３０  パネル仕様ビルトイン型空気調和機
３１  建屋
３２  天井
３４  天井空間
３５  ユニット本体
３６  吹出ダクト
３９  天板
４０  ダクト仕様ビルトイン型空気調和機
４９  天井パネル
５２  吸込ダクト
５６  ファン
６４  開口
６７  集合吸込角ダクト
６９  集合吹出角ダクト
【図１】
0004382904.tif 000002
【図２】
0004382904.tif 000003
【図３】
0004382904.tif 000004
【図４】
0004382904.tif 000005
【図５】
0004382904.tif 000006
【図６】
0004382904.tif 000007
【図７】
0004382904.tif 000008